(57)【特許請求の範囲】
【請求項１】
認証情報発行装置と認証情報記憶装置と認証情報読み取り装置を備えている個人認証システムにおいて、
前記認証情報発行装置は、利用者の顔の画像情報を入力する手段と、入力された前記画像情報から認証子を生成する手段と、入力された前記画像情報と生成された前記認証子を前記認証情報記憶装置に出力する出力手段と、を備え、
前記認証情報記憶装置は、前記認証情報発行装置から出力された画像情報と認証子を入力する手段と、入力された前記画像情報と認証子を記憶する記憶手段と、記憶された前記画像情報と認証子を無線通信可能な信号に変換して送信する第１の無線通信手段と、を備え、
前記認証情報読み取り装置は、前記第１の無線通信手段から送信された信号を受信して画像情報と認証子を復調可能な第２の無線通信手段と、前記第２の無線通信手段から出力された画像情報から認証子を生成する手段と、生成された認証子と前記第２の無線通信手段から出力された認証子を比較する認証子検証手段と、前記認証子検証手段により生成された認証子と前記第２の無線通信手段から出力された認証子が対応していると判定された場合に前記第２の無線通信手段から出力された画像情報を表示する表示手段と、を備え、
前記認証情報記憶装置の利用者が交通機関または建物の入口または出口を通過する際に、前記入口または出口に設置された前記認証情報読み取り装置と前記認証情報記憶装置との間で通信を行い、前記表示手段に前記第２の無線通信手段により受信されて復調された画像情報を表示することにより、前記交通機関または建物の通過管理者が前記利用者の顔と前記認証情報記憶装置に記憶された画像情報との比較を行うことができるようにすることを特徴とする個人認証システム。
【請求項２】
請求項１記載の個人認証システムにおいて、
前記認証情報発行装置は、前記認証情報記憶装置の利用者が前記交通機関または建物を利用可能な期間を示す期間情報を入力する手段を備え、前記出力手段により前記画像情報と前記認証子とともに前記期間情報を前記認証情報記憶装置に出力し、
前記認証情報記憶装置は、前記認証情報発行装置から出力された画像情報と認証子と期間情報を入力し、入力された前記画像情報と前記認証子と前記期間情報を記憶し、
前記認証情報記憶装置の利用者が交通機関または建物の入口または出口を通過する際に、前記認証情報記憶装置は前記画像情報と前記認証子と前記期間情報を無線通信可能な信号に変換して前記認証情報読み取り装置に送信し、
前記認証情報読み取り装置は、前記認証情報記憶装置から送信された期間情報を用いて、前記利用者の利用可能期間に関する情報を表示することを特徴とする個人認証システム。
【発明の詳細な説明】
【０００１】
【発明の属する技術分野】
本発明は、交通機関や建物、事業所の出入口等で個人認証が必要なシステムに係り、特に、認証情報を発行するための認証情報発行装置と利用者の持つ認証情報記憶装置と無線通信可能な認証情報読み取り装置とで構築する個人認証システムおよびそれに用いる認証情報発行装置、認証情報記憶装置並びに認証情報読み取り装置に関する。
【０００２】
【従来の技術】
利用者の顔画像を用いて個人認証するシステムとしては、特開平７−１１７３８３号公報「クレジットカード照合システム」が提案されている。この提案によれば、クレジットカードに顔画像データを記憶させ、クレジットカード内のデータを読取機で読み取って遠隔のカード管理会社のデータベースと比較し、かつ顔画像データを表示することによって個人認証が行われる。
【０００３】
また、バスなどの交通機関で使用されている定期券なども紙等に印刷された内容で定期券として判断されるため、利用者はバスの運転手などに定期券等を提示する必要がある。
【０００４】
【発明が解決しようとする課題】
上記従来技術によれば、紙等に印刷された定期券を使用する場合やカードに記憶された情報によって個人認証を行う必要がある場合、高齢者や体の不自由な人にとって定期券等を提示することが困難である場合があった。
【０００５】
本発明の目的は、通過管理者が容易に利用者を認証可能とする個人認証システムを提供することにある。
【０００６】
【課題を解決するための手段】
本発明にかかる個人認証システムは、認証情報発行装置と認証情報記憶装置と認証情報読み取り装置を備える。前記認証情報発行装置は、利用者の顔の画像情報を入力する手段と、入力された前記画像情報から認証子を生成する手段と、入力された前記画像情報と生成された前記認証子を前記認証情報記憶装置に出力する出力手段と、を備える。前記認証情報記憶装置は、前記認証情報発行装置から出力された画像情報と認証子を入力する手段と、入力された前記画像情報と認証子を記憶する記憶手段と、記憶された前記画像情報と認証子を無線通信可能な信号に変換して送信する第１の無線通信手段と、を備える。また、前記認証情報読み取り装置は、前記第１の無線通信手段から送信された信号を受信して画像情報と認証子を復調可能な第２の無線通信手段と、前記第２の無線通信手段から出力された画像情報から認証子を生成する手段と、生成された認証子と前記第２の無線通信手段から出力された認証子を比較する認証子検証手段と、前記認証子検証手段により生成された認証子と前記第２の無線通信手段から出力された認証子が対応していると判定された場合に前記第２の無線通信手段から出力された画像情報を表示する表示手段と、を備える。そして、前記認証情報記憶装置の利用者が交通機関または建物の入口または出口を通過する際に、前記入口または出口に設置された前記認証情報読み取り装置と前記認証情報記憶装置との間で通信を行い、前記表示手段に前記第２の無線通信手段により受信されて復調された画像情報を表示することにより、前記交通機関または建物の通過管理者が前記利用者の顔と前記認証情報記憶装置に記憶された画像情報との比較を行うことができるようにする。
【００１０】
【発明の実施の形態】
以下、本発明の一実施例を図１を用いて説明する。
【００１１】
図１は、本発明の個人認証システムのシステム構成の一実施例を示す図である。
【００１２】
図１において、１００は認証情報記憶装置、１１０は第１の無線通信手段、１２０は記憶手段、２００は認証情報読み取り装置、２１０は第２の無線通信手段、２２０は表示手段、３００は認証情報発行装置、３１０は第３の無線通信手段、３２０は画像情報入力手段、３２０ｂは利用可能期間入力手段、３２０ｃは利用可能場所入力手段である。
【００１３】
本実施例の個人認証システムでは、認証情報記憶装置を定期券として利用した場合について説明する。
【００１４】
認証情報発行装置３００では、認証情報記憶装置１００の利用者の顔の画像情報が画像情報入力手段３２０から入力され、利用者の利用可能期間に関する情報が利用可能期間入力手段３２０ｂから入力され、利用者の利用可能な場所に関する情報が利用可能場所入力手段３２０ｃから入力される。入力された画像情報・利用可能期間に関する情報・利用可能場所に関する情報は、第３の無線通信手段３１０に入力され、無線通信可能な信号に変換されて出力される。
【００１５】
認証情報記憶装置１００では、第１の無線通信手段１１０を用いて前記認証情報発行装置から出力された無線信号を受信・復調する。入力された画像情報・利用可能期間に関する情報・利用可能場所に関する情報は記憶手段１２０に出力され記憶される。該記憶手段１２０に記憶された情報は、必要に応じて第１の無線通信手段１１０に出力されて、認証情報読み取り装置２００内にある第２の無線通信手段２１０と無線通信可能な信号に変換されて出力される。
【００１６】
認証情報読み取り装置２００では、認証情報記憶装置１００内の第１の無線通信手段１１０からの無線信号を受信可能な第２の無線通信手段２１０で受信・復調する。該復調された画像情報は表示手段２２０へ出力され、認証情報記憶装置１００内にある画像情報が表示される。バスの運転手などの通過管理者は認証情報読み取り装置２００に表示された画像情報と認証情報記憶装置１００を持つ利用者の実際の顔を比較して、本人であるか否かを判断し認証するため、指紋やアイリスを用いた認証のようにセンサやデータベース認証演算装置などを必要としないため、便利である。また利用可能期間に関する情報、利用可能場所に関する情報の一部または全てを表示手段２２０に表示することにより、バスの運転手などの通過管理者が利用者の持つ認証情報記憶装置１００の有効性を容易に確認することが可能となる。
【００１７】
本実施例によれば、バスの運転手などの通過管理者は通過する利用者が認証情報記憶装置１００の正当な持ち主であるか否かを認証情報記憶装置１００内に記憶された顔を含んだ画像情報と本人の顔とを比較することが可能となり、簡便に確認することが可能である。
【００１８】
次に、本発明の一実施例を図２を用いて説明する。
【００１９】
図２は、本発明の個人認証システムのシステム構成の一実施例を示す図である。
【００２０】
図２において、２３０は認証子検証手段、３３０は認証子生成手段である。
【００２１】
図１と同一符号のものは同一の機能を有する。
【００２２】
認証情報発行手段３００では、画像情報入力手段３２０より出力される利用者の顔の画像情報が、無線通信手段３１０および認証情報生成手段３３０に入力される。認証情報生成手段３３０では、定められた演算によって入力された画像情報から認証子を生成し、無線通信手段３１０に出力する。第３の無線通信手段３１０に入力された前記画像情報および前記認証子は、無線通信可能な信号に変換されて出力される。
【００２３】
認証情報記憶装置１００では、第１の無線通信手段１１０を用いて前記認証情報発行装置から出力された無線信号を受信・復調する。復調された前記画像情報および認証子は記憶手段１２０に出力され記憶される。該記憶手段１２０に記憶された画像情報および認証子は、必要に応じて第１の無線通信手段１１０に出力されて、認証情報読み取り装置２００内にある第２の無線通信手段２１０と無線通信可能な信号に変換されて出力される。
【００２４】
認証情報読み取り装置２００では、認証情報記憶装置１００内の第１の無線通信手段１１０からの無線信号を受信可能な第２の無線通信手段２１０で受信・復調する。該復調された画像情報および認証子は、認証子検証手段２３０に入力され定められた演算によって画像情報から第２の認証子が生成され、復調された認証子との比較を行う。比較を行った結果が同じであれば、認証子は改竄されていないことがわかるため、通過管理者に対し、通過可能者である旨を通知し、前記顔の画像情報の表示を表示手段２２０で行う。
【００２５】
通過管理者は認証情報読み取り装置２００に表示された画像情報と認証情報記憶装置１００を持つ利用者の実際の顔を比較して、本人であるか否かを判断することが可能である。
【００２６】
本実施例によれば、認証子を用いることによって、通過管理者は通過する利用者の持つ認証記憶装置１００内の画像情報が改竄されていないことが確認でき、さらに認証情報記憶装置１００内に利用者の顔写真などの画像情報を記憶させ、認証情報読み取り装置２００に表示させることにより通過管理者が容易に本人確認することが可能である。したがって、なりすまし等の認証情報記憶装置の悪用防止に効果がある。
【００２７】
次に、本発明の一実施例を図３を用いて説明する。
【００２８】
図３は、本発明の個人認証システムのシステム構成の一実施例を示す図である。
【００２９】
図３において、３４０はカード書き込み手段、１４０はカード読み取り手段、４００および４００’はメモリカードである。
【００３０】
図１および図２と同一符号のものは同一の機能を有する。
【００３１】
認証情報発行手段３００では、画像情報入力手段３２０より出力される利用者の顔の画像情報が、カード書き込み手段３４０および認証情報生成手段３３０に入力される。認証情報生成手段３３０では、定められた演算によって入力された画像情報から認証子を生成し、カード書き込み手段３４０に出力する。カード書き込み手段３４０に入力された前記画像情報および前記認証子は、メモリカード４００に書き込まれる。
【００３２】
認証情報記憶装置１００では、カード読み取り手段１４０を用いて前記メモリカード４００に記憶された画像情報および認証子を読み込まれ、記憶手段１２０に出力され記憶される。該記憶手段１２０に記憶された画像情報および認証子は、必要に応じて第１の無線通信手段１１０に出力されて、認証情報読み取り装置２００内にある第２の無線通信手段２１０と無線通信可能な信号に変換されて出力される。
【００３３】
認証情報読み取り装置２００では、認証情報記憶装置１００内の第１の無線通信手段１１０からの無線信号を受信可能な第２の無線通信手段２１０で受信・復調する。該復調された画像情報および認証子は、認証子検証手段２３０に入力され定められた演算によって画像情報から第２の認証子が生成され、復調された認証子との比較を行う。比較を行った結果が同じであれば、認証子は改竄されていないことがわかるため、通過管理者に対し、通過可能者である旨を通知し、前記顔の画像情報の表示を表示手段２２０で行う。
【００３４】
通過管理者は認証情報読み取り装置２００に表示された画像情報と認証情報記憶装置１００を持つ利用者の実際の顔を比較して、本人であるか否かを判断することが可能である。
【００３５】
本実施例によれば、顔の賀状情報とその画像情報から生成された認証子を過般可能なメモリカード４００に記憶させておくことにより、情報の書き込み時にはメモリカード４００のみを携帯可能となり便利である。また、メモリカード４００内の利用者の顔の画像情報と認証子を記憶手段１２０に複写しておけば、メモリカード４００を一緒に携帯する必要が無くなり便利である。利用者の顔の画像情報から生成される認証子は、定められた演算方法を知らない者には演算できないため、悪意のある者がメモリカード４００内の情報を複製して使用しようとしても顔の画像情報を変更することができないので認証情報記憶装置として悪用することを防止することができる。
【００３６】
本実施例においては、外部記憶手段としてメモリカードを用いて説明を行ったが、演算処理手段と記憶手段を有するＩＣカードなど他の外部記憶手段を用いても同様の効果を得ることができる。
【００３７】
【発明の効果】
本発明によれば、通過管理者が容易に利用者を認証可能とする個人認証システムを提供することができる。
【図面の簡単な説明】
【図１】本発明の入退場管理システムのシステム構成の一実施例を示す図。
【図２】本発明の入退場管理システムのシステム構成の一実施例を示す図。
【図３】本発明の入退場管理システムのシステム構成の一実施例を示す図。
【符号の説明】
１００…認証情報記憶装置、１１０…第１の無線通信手段、１２０…記憶手段、１４０…カード読み取り手段、２００…認証情報読み取り装置、２１０…第２の無線通信手段、２２０…表示手段、２３０…認証子検証手段、３００…認証情報発行装置、３１０…第３の無線通信手段、３２０…画像情報入力手段、３２０ｂ…利用可能期間入力手段、３２０ｃ…利用可能場所入力手段、３３０…認証子生成手段、３４０…カード書き込み手段、４００…メモリカード。
【図１】
0004700782.tif 000002
【図２】
0004700782.tif 000003
【図３】
0004700782.tif 000004